(57)【要約】【課題】簡素な構成で、設置スペースの狭小化を実現するマチ付きパウチおよびマチ付きパウチの製造方法を提供すること。【解決手段】マチ部２２を有したマチ付きパウチ１０であって、パウチ本体２０と、パウチ本体２０内に配置される内側支え部材７０とを備え、パウチ本体２０は、内容物収容部２１と、内容物収容部２１を挟んで対向する第１被固着部２４および第２被固着部２５を有し、内側支え部材７０は、第１被固着部２４に固着された第１固着部７１と、第２被固着部２５に固着された第２固着部７２とを有するマチ付きパウチ１０。【選択図】図２
2020132177.tif 000002
【特許請求の範囲】
【請求項１】
マチ部を有したマチ付きパウチであって、
パウチ本体と、前記パウチ本体内に配置される内側支え部材とを備え、
前記パウチ本体は、内容物収容部と、前記内容物収容部を挟んで対向する第１被固着部および第２被固着部を有し、
前記内側支え部材は、前記第１被固着部に固着された第１固着部と、前記第２被固着部に固着された第２固着部とを有することを特徴とするマチ付きパウチ。
【請求項２】
前記内側支え部材は、内容物を流通させるための孔状または切り欠き状の流通部を有していることを特徴とする請求項１に記載のマチ付きパウチ。
【請求項３】
前記内側支え部材は、熱溶着層を有した樹脂フィルムから構成され、
前記第１固着部は、前記第１被固着部に熱溶着によって固着され、
前記第２固着部は、前記第２被固着部に熱溶着によって固着されていることを特徴とする請求項１または請求項２に記載のマチ付きパウチ。
【請求項４】
前記パウチ本体は、表側フィルムおよび裏側フィルムと、前記パウチ本体を袋状に形成するためのシール部とを有し、
前記第１固着部または前記第２固着部の少なくとも一方は、前記シール部において、前記表側フィルムおよび前記裏側フィルムの間に配置されて、前記表側フィルムおよび前記裏側フィルムに対して熱溶着されていることを特徴とする請求項３に記載のマチ付きパウチ。
【請求項５】
前記第１固着部または前記第２固着部の少なくとも一方は、前記熱溶着層を前記表側フィルムおよび前記裏側フィルムに対向させるように２つ折りに折り曲げられた状態で、前記表側フィルムおよび前記裏側フィルムの間に配置されていることを特徴とすることを特徴とする請求項４に記載のマチ付きパウチ。
【請求項６】
前記第１固着部は、前記シール部において、前記表側フィルムおよび前記裏側フィルムの間に配置されて、前記表側フィルムおよび前記裏側フィルムに熱溶着され、
前記シール部には、把手孔が形成され、
前記把手孔の少なくとも一部は、前記表側フィルムと前記裏側フィルムと前記第１固着部とが重なった部位を貫通するように形成されていることを特徴とする請求項４または請求項５に記載のマチ付きパウチ。
【請求項７】
前記パウチ本体は、前記内容物収容部を挟んで対向する第３被固着部および第４被固着部を有し、
前記内側支え部材は、前記第３被固着部に固着された第３固着部と、前記第４被固着部に固着された第４固着部とを有することを特徴とする請求項１乃至請求項６のいずれかに記載のマチ付きパウチ。
【請求項８】
前記内側支え部材は、熱溶着層を有した樹脂フィルムから構成され、
前記パウチ本体は、表側フィルムおよび裏側フィルムと、前記パウチ本体を袋状に形成するためのシール部とを有し、
前記第１固着部および前記第２固着部は、前記シール部において、前記熱溶着層を前記表側フィルムおよび前記裏側フィルムに対向させるように２つ折りに折り曲げられた状態で、前記表側フィルムおよび前記裏側フィルムの間に配置されて、前記表側フィルムおよび前記裏側フィルムに対して熱溶着され、
前記第３固着部は、前記表側フィルムの内側面に熱溶着され、
前記第４固着部は、前記裏側フィルムの内側面に熱溶着されていることを特徴とする請求項７に記載のマチ付きパウチ。
【請求項９】
前記パウチ本体は、表側フィルムおよび裏側フィルムと、前記パウチ本体を袋状に形成するためのシール部とを有し、
前記第１固着部は、前記表側フィルムの内側面に固着され、
前記第２固着部は、前記裏側フィルムの内側面に固着されていることを特徴とする請求項１乃至請求項３のいずれかに記載のマチ付きパウチ。
【請求項１０】
前記パウチ本体は、表側フィルムと裏側フィルムとマチ部用フィルムとを有し、
前記マチ部用フィルムは、２つ折りにされて、前記表側フィルムと前記裏側フィルムとの間に、その折曲部を前記内容物収容部側に向けた状態で配置され、
前記マチ部用フィルムの長手方向の両端部のうち少なくとも一方において、前記内容物収容部側に位置する前記マチ部用フィルムの角部が前記パウチ本体の外側に向けて寄るように、前記マチ部用フィルムが、その長手方向に対して斜めに折り曲げられていることを特徴とする請求項１乃至請求項９のいずれかに記載のマチ付きパウチ。
【請求項１１】
内側支え部材をパウチ本体内に配置したマチ付きパウチの製造方法であって、
前記パウチ本体を構成する表側フィルムおよび裏側フィルムの間に、樹脂フィルムから成る前記内側支え部材を２つ折り状態で配置し、前記表側フィルムと前記裏側フィルムと前記内側支え部材とを熱溶着治具によって挟み込むことで、前記表側フィルムおよび前記内側支え部材の対向面間の一部領域を熱溶着するとともに、前記裏側フィルムおよび前記内側支え部材の対向面間の一部領域を熱溶着する工程を含み、
前記工程において、２つ折りされた前記内側支え部材の内側面間に邪魔板を配置することを特徴とするマチ付きパウチの製造方法。
【請求項１２】
前記工程は、前記パウチ本体を袋状に形成するためのシール部を形成する際に同時に行われることを特徴とする請求項１１に記載のマチ付きパウチの製造方法。
【発明の詳細な説明】
【技術分野】
【０００１】
本発明は、マチ部を有したマチ付きパウチおよびマチ付きパウチの製造方法に関する。
【背景技術】
【０００２】
従来、飲料水等の流動性を有した内容物を収容する容器として、樹脂フィルムから形成された袋状のマチ付きパウチが公知である（例えば、特許文献１を参照）。
【０００３】
また、特許文献１にも開示されるように、その使用時（内容物の注出時）や陳列時や運搬時等において、所謂バックインボックス形式でマチ付きパウチを運用する、すなわち、外装ケース内にマチ付きパウチを収容して運用することも知られている。
【先行技術文献】
【特許文献】
【０００４】
【特許文献１】特開２０１２−１２１６１１号公報
【発明の概要】
【発明が解決しようとする課題】
【０００５】
ところが、このようなマチ付きパウチを構成する樹脂フィルムは可撓性を有しているため、特にマチ付きパウチを大容量に形成した場合に、図１２に示すような、飲料水等の流動性を有した内容物の自重によって、パウチ本体の下側部分に膨れが生じる所謂胴膨れが生じることがある。
【０００６】
そして、上記の胴膨れが生じる場合、その使用時や陳列時や運搬時等におけるマチ付きパウチの設置スペースを大きく確保する必要があり、また、バッグインボックス形式で運用する場合には、マチ付きパウチの胴膨れを考慮して、外装ケースに強度を持たせる必要が生じる。
【０００７】
そこで、本発明は、これらの問題点を解決するものであり、簡素な構成で、設置スペースの狭小化を実現するマチ付きパウチおよびマチ付きパウチの製造方法を提供することを目的とするものである。
【課題を解決するための手段】
【０００８】
本発明のマチ付きパウチは、マチ部を有したマチ付きパウチであって、パウチ本体と、前記パウチ本体内に配置される内側支え部材とを備え、前記パウチ本体は、内容物収容部と、前記内容物収容部を挟んで対向する第１被固着部および第２被固着部を有し、前記内側支え部材は、前記第１被固着部に固着された第１固着部と、前記第２被固着部に固着された第２固着部とを有することにより、前記課題を解決するものである。
また、本発明のマチ付きパウチの製造方法は、内側支え部材をパウチ本体内に配置したマチ付きパウチの製造方法であって、前記パウチ本体を構成する表側フィルムおよび裏側フィルムの間に、樹脂フィルムから成る前記内側支え部材を２つ折り状態で配置し、前記表側フィルムと前記裏側フィルムと前記内側支え部材とを熱溶着治具によって挟み込むことで、前記表側フィルムおよび前記内側支え部材の対向面間の一部領域を熱溶着するとともに、前記裏側フィルムおよび前記内側支え部材の対向面間の一部領域を熱溶着する工程を含み、前記工程において、２つ折りされた前記内側支え部材の内側面間に邪魔板を配置することにより、前記課題を解決するものである。
【発明の効果】
【０００９】
本請求項１、１１に係る発明によれば、内側支え部材によって、内容物収容部を挟んで対向するパウチ本体の第１被固着部および第２被固着部が互いに離れることを阻止することが可能であるため、内容物を収容したマチ付きパウチの全体形状を維持し、飲料水等の流動性を有した内容物の自重によってパウチ本体の下側部分に膨れが生じる所謂胴膨れを抑制することができる。これにより、その使用時や陳列時や運搬時等におけるマチ付きパウチの設置スペースの狭小化を実現するとともに、バッグインボックス形式でマチ付きパウチを運用する場合には、マチ付きパウチを収容する外装ケースに高い強度を持たせる必要を無くすことができる。
【００１０】
本請求項２に係る発明によれば、内側支え部材が内容物を流通させるための孔状または切り欠き状の流通部を有していることにより、内容物収容部内を複数の空間に区分するように内側支え部材が設置されている場合であっても、内容物収容部内における内容物の流動を確保することが可能であるため、内容物の良好な注出を維持することができる。
本請求項３に係る発明によれば、パウチ本体を形成する際にも用いられる熱溶着によって、第１固着部および第２固着部をパウチ本体に固着することが可能であるため、製造負担を軽減できる。
本請求項４に係る発明によれば、第１固着部または第２固着部の少なくとも一方が、パウチ本体を袋状に形成するためのシール部において、表側フィルムおよび裏側フィルムの間に配置されて、表側フィルムおよび裏側フィルムに対して熱溶着されている。これにより、第１固着部または第２固着部を表側フィルムおよび裏側フィルムの両方に対して固着して、パウチ本体に対する第１固着部または第２固着部の固着強度を向上できるばかりでなく、パウチ本体を袋状に形成するためのシール部の形成とパウチ本体に対する第１固着部または第２固着部の固着とを一度に行うことも可能であるため、製造負担を軽減することができる。また、表側フィルムおよび裏側フィルムの間に第１固着部または第２固着部を配置した部位は強度が高くなるため、使用時や陳列時や運搬時において、当該表側フィルムおよび裏側フィルムの間に第１固着部または第２固着部を配置した部位を下にして載置面に置くことにより、マチ付きパウチの自立性を向上させることもできる。
本請求項５に係る発明によれば、第１固着部または第２固着部の少なくとも一方が、熱溶着層を表側フィルムおよび裏側フィルムに対向させるように２つ折りに折り曲げられた状態で、表側フィルムおよび裏側フィルムの間に配置されていることにより、内側支え部材を構成する樹脂フィルムの両面に熱溶着層を形成する必要が無くなり、また、表側フィルムおよび裏側フィルムの間に第１固着部または第２固着部を配置した部位の強度を更に向上させることができる。
本請求項６に係る発明によれば、シール部に形成された把手孔の少なくとも一部が、表側フィルムと裏側フィルムと第１固着部とが重なった部位を貫通するように形成されていることにより、把手孔の縁部の強度を充分に確保することが可能であるため、把手孔の縁部に変形や破れが生じることを抑制できる。
本請求項７に係る発明によれば、内側支え部材によって、内容物収容部を挟んで対向するパウチ本体の第３被固着部および第４被固着部が互いに離れることを阻止することが可能であるため、内容物を収容したマチ付きパウチの全体形状をより確実に維持することができる。
本請求項８に係る発明によれば、第１固着部および第２固着部が、パウチ本体を袋状に形成するためのシール部において、熱溶着層を表側フィルムおよび裏側フィルムに対向させるように２つ折りに折り曲げられた状態で、表側フィルムおよび裏側フィルムの間に配置されて、表側フィルムおよび裏側フィルムに対して熱溶着され、第３固着部が、表側フィルムの内側面に熱溶着され、第４固着部は、裏側フィルムの内側面に熱溶着されている。これにより、パウチ本体に対する第１〜４固着部の熱溶着を一度に行うことができ、また、パウチ本体を袋状に形成するためのシール部の形成とパウチ本体に対する第１〜４固着部の熱溶着とを一度に行うこともできる。
本請求項９に係る発明によれば、第１固着部が表側フィルムの内側面に固着され、第２固着部が裏側フィルムの内側面に固着されていることにより、表側フィルムおよび裏側フィルムが互いに離れることを阻止することが可能であるため、内容物を収容したマチ付きパウチの全体形状を維持し、所謂胴膨れを抑制することができる。
本請求項１０に係る発明によれば、マチ部用フィルムが、２つ折りにされて、表側フィルムと裏側フィルムとの間にその折曲部を内容物収容部側に向けた状態で配置され、マチ部用フィルムの長手方向の両端部のうち少なくとも一方において、内容物収容部側に位置するマチ部用フィルムの角部がパウチ本体の外側に向けて寄るように、マチ部用フィルムが、長手方向に対して斜めに折り曲げられている。これにより、マチ部用フィルムを斜めに折り曲げることで空いたスペースにスパウトを配置することで、スパウトをより端の方に寄せて配置することが可能であるため、マチ付きパウチの使用時に、スパウトをより低い位置に位置させて、マチ付きパウチ内に多くの内容物が残留してしまうことを抑制できる。
本請求項１１に係る発明によれば、パウチ本体を構成する表側フィルムおよび裏側フィルムの間に、樹脂フィルムから成る内側支え部材を２つ折り状態で配置し、表側フィルムと裏側フィルムと内側支え部材とを熱溶着治具によって挟み込むことで、表側フィルムおよび内側支え部材の対向面間の一部領域を熱溶着するとともに、裏側フィルムおよび内側支え部材の対向面間の一部領域を熱溶着する工程を含み、前記工程において、２つ折りされた内側支え部材の内側面間に邪魔板を配置する。これにより、２つ折りされた内側支え部材の内側面間が熱溶着されてしまうことを回避しつつ、表側フィルムおよび裏側フィルムに対する内側支え部材の熱溶着を一度に行うことが可能であるため、製造負担を軽減することができる。
本請求項１２に係る発明によれば、表側フィルムおよび裏側フィルムに対する内側支え部材の熱溶着を、パウチ本体を袋状に形成するためのシール部を形成する際に同時に行うことにより、製造負担をより一層軽減することができる。
【図面の簡単な説明】
【００１１】
【図１】本発明の一実施形態に係るマチ付きパウチを示す斜視図。
【図２】マチ付きパウチを示す断面斜視図。
【図３】マチ付きパウチを構成する各フィルムを示す説明図。
【図４】フィルムの溶着方法の一例を示す説明図。
【図５】スパウト装着位置の変形例を示す斜視図。
【図６】図５に示す例における各フィルムを示す説明図。
【図７】内側支え部材の各種変形例を示す説明図。
【図８】内側支え部材の取り付け態様の各種変形例を示す説明図。
【図９】マチ部用フィルムの取り付け態様の一例を示す説明図。
【図１０】マチ部用フィルムの取り付け態様の変形例を示す説明図。
【図１１】マチ部用フィルムの取り付け態様の異なる変形例を示す説明図。
【図１２】胴膨れを生じたマチ付きパウチを示す参考図。
【発明を実施するための形態】
【００１２】
以下に、本発明の一実施形態であるマチ付きパウチ１０について、図面に基づいて説明する。
【００１３】
マチ付きパウチ１０は、飲料水等の流動性を有した内容物を収容するものであり、図１に示すように、可撓性を有した樹脂フィルムから袋状に形成されたパウチ本体２０と、パウチ本体２０に装着されたスパウト６０と、パウチ本体２０内に配置される内側支え部材７０とを有している。マチ付きパウチ１０は、その使用時や陳列時や運搬時に、外装ケース（図示しない）内に収容されて運用される。
【００１４】
パウチ本体２０は、内容物収容部２１の周囲において表側フィルム３０と裏側フィルム４０と一対のマチ部用フィルム５０とを熱溶着したシール部２３を形成することで袋状に形成され、本実施形態では、図１に示すように、両側部にマチ部２２が形成された所謂横ガゼット型のパウチとして構成されている。
【００１５】
各フィルム３０、４０、５０は、少なくともその片面に熱溶着層を有した矩形状（またはほぼ矩形状）の樹脂フィルムとして形成され、互いに熱溶着される箇所において、熱溶着層同士を対向させるように配置されている。
【００１６】
各フィルム３０、４０、５０の熱溶着領域については、以下の通りである。なお、図３では、各熱溶着領域をドットパターンで表している。
まず、表側フィルム３０は、図３に示すように、裏側フィルム４０に熱溶着される第１熱溶着領域３１と、マチ部用フィルム５０に熱溶着される第２熱溶着領域３２と、スパウト６０に熱溶着される第３熱溶着領域３３と、内側支え部材７０に熱溶着される第４熱溶着領域３４とを有している。
また、裏側フィルム４０は、図３に示すように、表側フィルム３０に熱溶着される第１熱溶着領域４１と、マチ部用フィルム５０に熱溶着される第２熱溶着領域４２と、スパウト６０に熱溶着される第３熱溶着領域４３と、内側支え部材７０に熱溶着される第４熱溶着領域４４とを有している。
また、マチ部用フィルム５０は、図３に示すように、表側フィルム３０に熱溶着される第１熱溶着領域５１と、裏側フィルム４０に熱溶着される第２熱溶着領域５２とを有している。
【００１７】
スパウト６０は、合成樹脂等から形成され、パウチ本体２０に装着されて内容物の注出口として機能するものである。
本実施形態では、スパウト６０は、図１に示すように、マチ付きパウチ１０の頂部側のシール部２３において、表側フィルム３０と裏側フィルム４０との間に配置され、熱溶着によって表側フィルム３０（の第３熱溶着領域３３）および裏側フィルム４０（の第３熱溶着領域４３）に対して固着されている。
スパウト６０は、図１に示すように、マチ付きパウチ１０の頂部側のシール部２３における中央部よりも一方側（図１における左側）に寄った位置に装着されている。
【００１８】
本実施形態では、マチ付きパウチ１０の使用時（内容物の注出時）に、スパウト６０を装着したマチ付きパウチ１０の頂部を横方向に向けるとともに、マチ部２２が形成されたマチ付きパウチ１０の側部を下に向けた状態で、マチ付きパウチ１０が使用される。この際、スパウト６０をより低い位置に配置して内容物の注出を円滑に行う観点から、図１における左側のマチ付きパウチ１０の側部を下に向けた状態でマチ付きパウチ１０を載置面上に設置することが好ましい。
【００１９】
内側支え部材７０は、図２に示すように、パウチ本体２０（内容物収容部２１）内に配置されるものであり、本実施形態では、少なくともその片面に熱溶着層を有した矩形状（またはほぼ矩形状）かつ可撓性の樹脂フィルムとして形成されている。
【００２０】
内側支え部材７０は、図３に示すように、パウチ本体２０の第１被固着部２４に固着される第１固着部７１をその長手方向の一端側に有するとともに、内容物収容部２１を挟んで第１被固着部２４に対向したパウチ本体２０の第２被固着部２５に固着される第２固着部７２をその長手方向の他端側に有している。
【００２１】
第１固着部７１は、図１や図３に示すように、マチ付きパウチ１０の頂部側のシール部２３において、その熱溶着層を表側フィルム３０の熱溶着層および裏側フィルム４０の熱溶着層に対向させるように２つ折りに折り曲げられた状態で、表側フィルム３０および裏側フィルム４０の間に配置され、表側フィルム３０および裏側フィルム４０に対して熱溶着されている。本実施形態では、図１に示すように、マチ付きパウチ１０の頂部側のシール部２３の一部が、パウチ本体２０の第１被固着部２４として機能する。
【００２２】
第２固着部７２は、図１や図３に示すように、マチ付きパウチ１０の底部側のシール部２３において、その熱溶着層を表側フィルム３０の熱溶着層および裏側フィルム４０の熱溶着層に対向させるように２つ折りに折り曲げられた状態で、表側フィルム３０および裏側フィルム４０の間に配置され、表側フィルム３０および裏側フィルム４０に対して熱溶着されている。本実施形態では、図１に示すように、マチ付きパウチ１０の底部側のシール部２３の一部が、パウチ本体２０の第２被固着部２５として機能する。
【００２３】
なお、第１固着部７１および第２固着部７２においては、２つ折り状態の内側支え部材７０の内側面同士も熱溶着されている。例えば、内側支え部材７０の両面に熱溶着層を設けるか内側支え部材７０を熱溶着性の素材の単膜とすることで、内側支え部材７０の内側面同士も熱溶着することができる。
【００２４】
また、内側支え部材７０は、図３に示すように、パウチ本体２０の第３被固着部２６に固着される第３固着部７３をその短手方向の一端側に有するとともに、内容物収容部２１を挟んで第３被固着部２６に対向したパウチ本体２０の第４被固着部２７に固着される第４固着部７４をその短手方向の他端側に有している。
【００２５】
第３固着部７３は、図２に示すように、その熱溶着層を表側フィルム３０の内側面側の熱溶着層に対向させた状態で配置され、表側フィルム３０の内側面に対して熱溶着されている。本実施形態では、表側フィルム３０の内側面の一部が、パウチ本体２０の第３被固着部２６として機能する。
【００２６】
第４固着部７４は、図２に示すように、その熱溶着層を裏側フィルム４０の内側面側の熱溶着層に対向させた状態で配置され、裏側フィルム４０の内側面に対して熱溶着されている。本実施形態では、裏側フィルム４０の内側面の一部が、パウチ本体２０の第４被固着部２７として機能する。
【００２７】
このように、本実施形態では、内側支え部材７０の固着部７１、７２、７３、７４がパウチ本体２０の被固着部２４、２５、２６、２７に固着されていることにより、パウチ本体２０の全体形状を維持することができ、特に、陳列時や運搬時等において、パウチ本体２０の底部側（スパウト６０を装着した側とは反対側）を下に向けた状態でパウチ本体２０を載置面上に置いた場合であっても、表側フィルム３０および裏側フィルム４０が離間する胴体膨れを抑制することができる。
【００２８】
また、本実施形態では、パウチ本体２０に対して内側支え部材７０の固着部７１、７２、７３、７４が熱溶着によって固着されていることから、パウチ本体２０を袋状に形成するためのシール部２３の少なくとも一部を形成する時（すなわち、表側フィルム３０と裏側フィルム４０とマチ部用フィルム５０とを熱溶着してシール部２３の少なくとも一部を形成する時）に、パウチ本体２０に対する内側支え部材７０の熱溶着も一度に行うことができる。
【００２９】
なお、本実施形態では、パウチ本体２０に対して内側支え部材７０を熱溶着する時に、図４に示すように、表側フィルム３０と裏側フィルム４０との間に内側支え部材７０を２つ折りにして配置し、表側フィルム３０と裏側フィルム４０と内側支え部材７０とを一対の熱溶着治具９０によって挟み込むことで、表側フィルム３０および内側支え部材７０の対向面間の一部領域（具体的には、図３に示す第４熱溶着領域３４、第１固着部７１、第２固着部７２、第３固着部７３）を熱溶着するとともに、裏側フィルム４０および内側支え部材７０の対向面間の一部領域（具体的には、図３に示す第４熱溶着領域３４、第１固着部７１、第２固着部７２、第４固着部７４）を熱溶着する。ここで、内側支え部材７０の両面が熱溶着性を有する層であって、２つ折りされた内側の面が熱溶着されることが望ましくない場合、当該工程において、２つ折りされた内側支え部材７０の内側面（対向面）同士が熱溶着されてしまうことを回避するために、２つ折りされた内側支え部材７０の内側面（対向面）間に邪魔板８０を配置することが好ましい。内側支え部材７０の両面が熱溶着性を有する場合には、片面ずつ互いに溶着温度の異なる素材を使用し、溶着温度を制御することで２つ折りされた内側の面同士を熱溶着したり、逆に熱溶着しないようにすることも可能であるが、邪魔板８０を用いれば、簡易に内側支え部材７０の内側面（対向面）同士が熱溶着されてしまうことを回避することができる。
なお、内側支え部材７０の両面が熱溶着性を有する層でなくとも、熱溶着時に邪魔板８０を用いることもできる。
また、上記の表側フィルム３０および裏側フィルム４０に対して内側支え部材７０を熱溶着する工程は、パウチ本体２０を袋状に形成するためのシール部２３を形成する工程（すなわち、表側フィルム３０と裏側フィルム４０とマチ部用フィルム５０との間を熱溶着する工程）と同時に行ってもよく、また、別に行ってもよい。
【００３０】
また、内側支え部材７０は、図３に示すように、その表裏方向に貫通して形成され内容物を流通させるための複数の孔状の流通部７５を有している。本実施形態のように、内側支え部材７０の全外縁が内容物収容部２１の内壁に固着され、内側支え部材７０によって内容物収容部２１内が複数（２つ）の空間に区分されている場合であっても、内容物収容部２１内で流通部７５を通じて内容物を流動させることができる。
【００３１】
また、内側支え部材７０は、図２に示すように、その内側の非溶着領域（固着部７１〜７４よりも内側の、流通部７５が形成された部分）がマチ部用フィルム５０に平行に配置されている。
【００３２】
また、マチ付きパウチ１０の頂部側のシール部２３には、図１や図３に示すように、使用者が手や指を通してマチ付きパウチ１０を持つための把手孔２８が形成されている。把手孔２８の少なくとも一部（本実施形態では全部）は、表側フィルム３０と裏側フィルム４０と第１固着部７１とが重なった部位を貫通するように形成されている。
【００３３】
以上、本発明の実施形態を詳述したが、本発明は上記実施形態に限定されるものではなく、特許請求の範囲に記載された本発明を逸脱することなく種々の設計変更を行なうことが可能である。また、上述した実施形態や後述する変形例の各構成を、任意に組み合わせてマチ付きパウチ１０を構成しても何ら構わない。
【００３４】
例えば、上述した実施形態では、マチ付きパウチ１０が、その使用時や陳列時や運搬時に、外装ケース（図示しない）内に収容されて運用されるものとして説明したが、外装ケース（図示しない）内に収容することなく、マチ付きパウチ１０そのものを使用し、又は陳列や運搬を行ってもよい。
【００３５】
また、パウチ本体２０を構成する各フィルム３０〜５０の具体的態様については、低密度ポリエチレンやポリプロピレンのオレフィン系やＰＥＴなどのポリエステル系等の熱溶着性を有する層を少なくとも片面に有するものであれば、熱溶着層の単膜又は熱溶着層に任意の層を積層してもよい。積層を構成する素材は如何なるものでもよく、公知のポリエステル、ポリプロピレン、ポリアミド、ポリエチレン、ボリブチレンテレフタレート、アルミ箔等を積層することで任意に形成すればよい。
また、上述した実施形態では、パウチ本体２０が、表側フィルム３０と裏側フィルム４０と一対のマチ部用フィルム５０の４枚の樹脂フィルムから形成されているものとして説明したが、パウチ本体２０を構成する樹脂フィルムの枚数等の、パウチ本体２０の具体的態様は、上記に限定されず、例えば、１枚の樹脂フィルム（すなわち、表側フィルム３０と裏側フィルム４０とマチ部用フィルム５０とを一体に形成した樹脂フィルム）を筒状に巻いて所定箇所で熱溶着して構成されたもの等、如何なるものでもよい。
また、上述した実施形態では、パウチ本体２０が、その両側部にマチ部２２を形成した所謂横ガゼット型のパウチとして形成されているものとして説明したが、パウチ本体２０の具体的態様は、少なくとも１つのマチ部２２を有するものであれば如何なるものでもよく、例えば、１つのマチ部２２を有した所謂底ガゼット型のパウチや、両側部および底部に計３つのマチ部２２を有したパウチ等、如何なるものでもよい。
【００３６】
また、上述した実施形態では、スパウト６０がマチ付きパウチ１０の頂部側のシール部２３に装着されているものとして説明したが、スパウト６０の具体的配置は、上記に限定されず、例えば、図５や図６に示すように、熱溶着等の手段によってマチ部２２（マチ部用フィルム５０）にスパウト６０を装着してもよい。なお、図５や図６に示す例では、一方のマチ部用フィルム５０に、スパウト６０に熱溶着される第３熱溶着領域５３が形成されている。図６においては、各フィルム３０〜５０が熱溶着される熱溶着領域をドットパターンで表している。また、同様に、表側フィルム３０や裏側フィルム４０に、スパウト６０を装着してもよい。また、スパウト６０自体を設けずに、パウチ本体２０の一部を切断することで注出口を形成するように、マチ付きパウチ１０を構成してもよい。
【００３７】
また、上述した実施形態では、内側支え部材７０が樹脂フィルムとして構成されているものとして説明したが、内側支え部材７０の具体的態様は、図３、図６に示す第１固着部７１および第２固着部７２を有するものであれば如何なるものでもよく、例えば、内側支え部材７０を紐状や帯状に形成してもよい。内側支え部材７０は、可撓性（弾性）を有する材料から形成することが好ましい。
また、内側支え部材７０を樹脂フィルムから構成する場合、パウチ本体２０を構成する各フィルム３０、４０、５０と異なる構造の樹脂フィルムから内側支え部材７０を形成してもよいが、マチ付きパウチ１０の製造コストを低減する観点からも、パウチ本体２０を構成する各フィルム３０、４０、５０と同じ構造の樹脂フィルムから内側支え部材７０を形成することが好ましい。
また、パウチ本体２０に対する内側支え部材７０の固着方法については、上述した熱溶着に限定されず、接着剤を用いた接着等の如何なるものでもよい。
【００３８】
また、上述した実施形態では、内側支え部材７０の流通部７５が孔状に形成されているものとして説明したが、流通部７５の具体的態様は、内容物を流通させることが可能なものであれば如何なるものでもよく、例えば、図７（ａ）に示すように、内側支え部材７０の外縁を切り欠いた切り欠き状に流通部７５を形成してもよい。
また、図３に示す例では、複数の丸孔状の流通部７５が２列に並べて配置されているが、流通部７５を孔状に形成する場合における、流通部７５の具体的な数量や配置や形状は如何なるものでもよく、例えば、図７（ｂ）に示すように、複数の丸孔状の流通部７５を千鳥状に配置してもよく、また、図７（ｃ）に示すように、流通部７５を長孔状に形成してもよい。また、内容物が流通するような細かい孔が施されたメッシュ状（不図示）であってもよい。
なお、例えば、後述する図８（ｄ）や図８（ｅ）の例のように、本実施形態のように、内側支え部材７０によって内容物収容部２１内が複数の空間に区分されていない場合、すなわち、内側支え部材７０と内容物収容部２１の内側面（各フィルム３０〜５０）との間に内容物を流通させるための間隙が形成される場合には、流通部７５を形成しなくてもよい。
【００３９】
また、上述した実施形態では、パウチ本体２０の第１被固着部２４が頂部側のシール部２３の一部であり、第２被固着部２５が底部側のシール部２３の一部であるものとして説明したが、第１被固着部２４および第２被固着部２５の具体的位置は、互いに内容物収容部２１を挟んで対向する位置関係であれば如何なるものでもよい。パウチ本体２０の胴膨れを抑制する所望の効果に応じて適宜変更可能である。例えば、後述する図８（ｄ）や図８（ｅ）に示す変形例のように、第１被固着部２４が表側フィルム３０の内側面の一部であり、第２被固着部２５が裏側フィルム４０の内側面の一部であってもよく、また、第１被固着部２４が一方のマチ部用フィルム５０の内側面の一部であり、第２被固着部２５が他方のマチ部用フィルム５０の内側面の一部であってもよい。
【００４０】
また、同様に、上述した実施形態では、パウチ本体２０の第３被固着部２６が表側フィルム３０の内側面の一部であり、第４被固着部２７が裏側フィルム４０の内側面の一部であるものとして説明したが、第３被固着部２６および第４被固着部２７の具体的位置は、互いに内容物収容部２１を挟んで対向する位置関係であれば、如何なるものでもよい。
【００４１】
また、内側支え部材７０の具体的な数量や配置や各フィルム３０、４０、５０に対する固着態様についても、第１固着部７１および第２固着部７２を有するものであれば、如何なるものでもよい。
例えば、図８（ａ）に示す例では、図６に示す例と比較して、Ａ部分の分だけ、各フィルム３０、４０に対する内側支え部材７０の固着面積が大きく、各フィルム３０、４０に対する内側支え部材７０の固着強度を向上することができる。なお、図８（ａ）に示す例におけるパウチ本体２０や内側支え部材７０の態様は、上述したＡ部分を除いて、図６に示す例と同様である。
また、図８（ｂ）に示す例では、２つの内側支え部材７０を横方向に並べて配置し、各フィルム３０、４０に対して各内側支え部材７０を固着している。なお、図８（ｂ）に示す例におけるパウチ本体２０や内側支え部材７０の態様は、内側支え部材７０の数量を除いて、図８（ａ）に示す例と同様である。
また、図８（ｃ）に示す例では、内側支え部材７０が、図８（ａ）に示す例における内側支え部材７０と同様に形成された第１フィルム部（図示しない）と、第１フィルム部（図示しない）に十字状に交差するように（一体または別体に）形成された第２フィルム部（図示しない）とから構成されている。第２フィルム部（図示しない）は、表側フィルム３０の内面と裏側フィルム４０の内面と左右一対のマチ部用フィルム５０の内面とに固着され、また、流通部７５が形成されている。なお、図８（ｃ）に示す例におけるパウチ本体２０や内側支え部材７０の態様は、内側支え部材７０が第２フィルム部（図示しない）を有している点等を除いて、図８（ａ）に示す例と同様である。
また、図８（ｄ）（ｅ）に示す例では、１つまたは複数の内側支え部材７０が、表側フィルム３０の内面と裏側フィルム４０の内面とにそれぞれ固着される第１、２固着部（図示しない）を有している。なお、図８（ｄ）（ｅ）に示す例におけるパウチ本体２０や内側支え部材７０の態様は、内側支え部材７０等の態様を除いて、図８（ａ）に示す例と同様である。例えば、内側支え部材７０の片面に熱溶着層を設けることで当該熱溶着層を表側フィルム３０の内面と裏側フィルム４０の内面とにそれぞれ固着することで実現できる。
また、図示しないが、図１〜４に示す例や図５、６に示す例において、第３固着部７３や第４固着部７４を内側支え部材７０に設けなくてもよく、言い替えると、第１固着部７１および第２固着部７２のみで、パウチ本体２０に対して内側支え部材７０を固着してもよい。
【００４２】
また、図１〜３に示す例では、図９に示すように、マチ部用フィルム５０が、２つ折りにされて、表側フィルム３０と裏側フィルム４０との間に、その折曲部を内容物収容部２１側に向けた状態で配置され、表側フィルム３０および裏側フィルム４０に対して熱溶着されている。
しかしながら、図１０や図１１に示す変形例のように、マチ部用フィルム５０の長手方向の両端部のうち少なくとも一方（本変形例では、スパウト６０が装着される頂部側の端部）において、内容物収容部２１側に位置するマチ部用フィルム５０の角部がパウチ本体２０の外側に向けて寄るように、マチ部用フィルム５０を長手方向に対して（本変形例では４５°の角度で）斜めに折り曲げてもよいし、角部がマチ部用フィルム５０の２つ折りの折り目側に入るように、折り返してもよい。これにより、図１０や図１１に示すように、マチ部用フィルム５０を斜めに折り曲げることで空いたスペースにスパウト６０を配置することで、スパウト６０をより端の方に寄せて配置することが可能であるため、マチ付きパウチ１０の使用時に、スパウト６０を装着したマチ付きパウチ１０の頂部を横方向に向けた状態でマチ付きパウチ１０を載置面上に設置した場合に、スパウト６０をより低い位置に位置させて、マチ付きパウチ１０内に多くの内容物が残留してしまうことを抑制できる。
なお、図１０や図１１の符号５４は、折り曲げられて対向したマチ部用フィルム５０の一部分同士を熱溶着する第４熱溶着領域５４を示している。
また、図１０や図１１に示す例では、マチ部用フィルム５０が、２つの切り欠き状の貫通部５５をその短辺側に有しており、この２つの貫通部５５は、マチ部用フィルム５０を折り畳んだ状態で、互いに重なるように形成されている。このような貫通部５５を形成した場合、図１０（ｂ）や図１１（ｂ）から分かるように、貫通部５５を通じて、表側フィルム３０または裏側フィルム４０の一方（図１０や図１１の例では表側フィルム３０）と、符号５６で指し示すマチ部用フィルム５０の一部分とを熱溶着することができる。なお、図示しないが、貫通部５５を切り欠き状ではなく孔状に形成してもよく、この場合、貫通部５５は、マチ部用フィルム５０の短辺付近に形成される。また、貫通部５５の数量は、２つに限定されず、例えば、４つ、６つ等の如何なるものでもよい。
また、図１１に示す例のように、２つ折りしたマチ部用フィルム５０を更に斜めに折り曲げることで形成された三角形状の部分５７において、マチ部用フィルム５０同士を熱溶着してもよい。この場合、マチ付きパウチ１０の製袋後の状態で、折り重なったマチ部用フィルム５０間に内容物が入り込むことを防止できる。なお、図１１に示す例では、表側フィルム３０や裏側フィルム４０に対してマチ部用フィルム５０を熱溶着する前の段階で、当該部分５７においてマチ部用フィルム５０同士を熱溶着する。
なお、表側フィルム３０と裏側フィルム４０とマチ部用フィルム５０との間における熱溶着箇所については、図１０に示す例や図１１に示す例に限定されず、実施態様に応じて任意に設定すればよい。
【００４３】
なお、本明細書内では、「頂部」「底部」「側部」等の上下を示す用語を使用しているが、これら用語は、使用時や陳列時や運搬時等におけるマチ付きパウチ１０の設置の向きを限定するものではなく、例えば、使用時や陳列時や運搬時等に、マチ付きパウチ１０の側部や頂部を下に向けて載置面上にマチ付きパウチ１０を設置してもよい。
【符号の説明】
【００４４】
１０  ・・・  マチ付きパウチ
２０  ・・・  パウチ本体
２１  ・・・  内容物収容部
２２  ・・・  マチ部
２３  ・・・  シール部
２４  ・・・  第１被固着部
２５  ・・・  第２被固着部
２６  ・・・  第３被固着部
２７  ・・・  第４被固着部
２８  ・・・  把手孔
３０  ・・・  表側フィルム
３１  ・・・  第１熱溶着領域
３２  ・・・  第２熱溶着領域
３３  ・・・  第３熱溶着領域
３４  ・・・  第４熱溶着領域
４０  ・・・  裏側フィルム
４１  ・・・  第１熱溶着領域
４２  ・・・  第２熱溶着領域
４３  ・・・  第３熱溶着領域
４４  ・・・  第４熱溶着領域
５０  ・・・  マチ部用フィルム
５１  ・・・  第１熱溶着領域
５２  ・・・  第２熱溶着領域
５３  ・・・  第３熱溶着領域
５４  ・・・  第４熱溶着領域
５５  ・・・  貫通部
６０  ・・・  スパウト
７０  ・・・  内側支え部材
７１  ・・・  第１固着部
７２  ・・・  第２固着部
７３  ・・・  第３固着部
７４  ・・・  第４固着部
７５  ・・・  流通部
８０  ・・・  邪魔板
９０  ・・・  熱溶着用治具
【図１】
2020132177.tif 000003
【図２】
2020132177.tif 000004
【図３】
2020132177.tif 000005
【図４】
2020132177.tif 000006
【図５】
2020132177.tif 000007
【図６】
2020132177.tif 000008
【図７】
2020132177.tif 000009
【図８】
2020132177.tif 000010
【図９】
2020132177.tif 000011
【図１０】
2020132177.tif 000012
【図１１】
2020132177.tif 000013
【図１２】
2020132177.tif 000014